(57)【要約】【課題】組立性がよく、発光モジュールの基板から器具本体への良好な放熱性を確保できる照明器具を提供する。【解決手段】照明器具は、器具本体11、発光部13および透光カバー14を備える。発光部13は、基板36およびこの基板36に実装された発光素子37を有する複数の発光モジュール12を備える。複数の発光モジュール12の基板36の端部を互いに組み合わせて器具本体11の表面に配置する。透光カバー14は、発光部13を覆う覆い部44、および覆い部44からそれぞれ突設され、それぞれ基板36の端部間の近傍で器具本体11に取り付けられる複数の爪部45を有する。【選択図】図１
2016021310.tif 000002
【特許請求の範囲】
【請求項１】
器具本体と；
基板およびこの基板に実装された発光素子を有する複数の発光モジュールを備え、これら複数の発光モジュールの前記基板の端部を互いに組み合わせて前記器具本体の表面に配置される発光部と；
前記発光部を覆う覆い部、および前記覆い部からそれぞれ突設され、それぞれ前記基板の端部間の近傍で前記器具本体に取り付けられる複数の爪部を有する透光カバーと；
を具備することを特徴とする照明器具。
【請求項２】
前記器具本体の裏面側に取り付けられる電源カバーと；
前記電源カバーの内側に配置される電源装置と；
を具備し、
前記透光カバーの前記爪部は、前記電源カバーの外側で前記器具本体の裏面側に突出されている
ことを特徴とする請求項１記載の照明器具。
【請求項３】
前記器具本体は、前記基板の端部間に臨んで前記器具本体の表裏面に貫通する配線孔を備えている
ことを特徴とする請求項２記載の照明器具。
【発明の詳細な説明】
【技術分野】
【０００１】
本発明の実施形態は、発光モジュールを用いた照明器具に関する。
【背景技術】
【０００２】
従来、例えばシーリングライト等の照明器具では、器具本体の表面側に発光モジュールが配置され、発光モジュールを覆う透光カバーが器具本体に取り付けられている。
【０００３】
発光モジュールは、基板に発光素子を実装して構成されている。発光モジュールは、複数に分割され、器具本体に配置する際に環状に組み合させるように構成されている。
【０００４】
そして、器具本体に複数の発光モジュールおよび透光カバーを配置し、透光カバーの複数の爪部を器具本体に係止することにより、透光カバーと器具本体との間で発光モジュールの基板を挟み込み、器具本体に発光モジュールの基板を押し付けている。これにより、組立性がよく、基板から器具本体への放熱性を確保している。
【０００５】
このように、爪部を有する透光カバーを用いることで、組立性を良好にできるが、
しかしながら、発光モジュールの基板に反りが生じ、基板の端部で透光カバーが器具本体から浮き上がると、基板の端部が器具本体から離反し、基板から器具本体への放熱性が低下するおそれがある。
【先行技術文献】
【特許文献】
【０００６】
【特許文献１】特開２０１３−２５１１４１号公報
【発明の概要】
【発明が解決しようとする課題】
【０００７】
本発明が解決しようとする課題は、組立性がよく、発光モジュールの基板から器具本体への良好な放熱性を確保できる照明器具を提供することである。
【課題を解決するための手段】
【０００８】
実施形態の照明器具は、器具本体、発光部および透光カバーを備える。発光部は、基板およびこの基板に実装された発光素子を有する複数の発光モジュールを備える。複数の発光モジュールの基板の端部を互いに組み合わせて器具本体の表面に配置する。透光カバーは、発光部を覆う覆い部、および覆い部からそれぞれ突設され、それぞれ基板の端部間の近傍で器具本体に取り付けられる複数の爪部を有する。
【発明の効果】
【０００９】
本発明によれば、組立性がよく、発光モジュールの基板から器具本体への良好な放熱性を確保することが期待できる。
【図面の簡単な説明】
【００１０】
【図１】一実施形態を示し、器具本体と透光カバーとの分解状態の照明器具を下側から見る斜視図である。
【図２】同上器具本体と透光カバーとの組立状態の照明器具を下側から見る斜視図である。
【図３】同上照明器具の一部の断面図である。
【図４】同上透光カバーを上側から見る拡大斜視図である。
【図５】同上照明器具を上側から見る斜視図である。
【図６】同上分解状態の照明器具を下側から見る斜視図である。
【発明を実施するための形態】
【００１１】
以下、一実施形態を、図１ないし図６を参照して説明する。
【００１２】
図６に示すように、照明器具10は、天井面に設置されている引掛シーリングボディにアダプタを介して取り付けられるシーリングライトである。
【００１３】
照明器具10は、器具本体11を備えている。器具本体11の表面側（下面側）11aには、複数の発光モジュール12を含む発光部13、および透光カバー14が取り付けられるとともに、セード15が着脱可能に取り付けられている。器具本体11の裏面側（上面側）11bには、電源装置16を収容した電源カバー17が取り付けられている。
【００１４】
そして、図１ないし図３、図５および図６に示すように、器具本体11は、金属製で円盤状に形成されている。器具本体11の表面側11aには、環状の突出部20が突設されている。突出部20の内径側および外径側には内周部21および外周部22が形成されている。内周部21の内径側には開口部23が形成されている。外周部22の外径側にはセード取付部24が形成されている。
【００１５】
突出部20の表面には、平面状で環状の基板取付部26が形成されている。基板取付部26には、同一円周方向に等間隔となる４箇所の位置のうち、３箇所の位置に基板取付部26から突出する第１の位置決め突起27が突設され、残りの１箇所の位置に器具本体11を貫通する配線孔28が形成されている。第１の位置決め突起27は円形状の突起であるとともに、配線孔28は円形状の孔であり、それぞれ同径に形成されている。さらに、基板取付部26には、周方向に等間隔となる４箇所の位置のそれぞれの間、すなわち３箇所の第１の位置決め突起27および配線孔28のそれぞれの間で、第１の位置決め突起27と同一円周上に、複数の第２の位置決め突起29が突設されている。第２の位置決め突起29は、球面状の突起であり、第１の位置決め突起27の径より小さく形成されている。そして、第１の位置決め突起27および第２の位置決め突起29は基板取付部26に配置される発光モジュール12を位置決めし、配線孔28は発光モジュール12と電源装置16との配線に用いられる。
【００１６】
突出部20の表面には、基板取付部26の領域よりも内径側に、透光カバー14を取り付けるための複数の挿通孔30がそれぞれ形成されている。これら挿通孔30は、同一円周方向に等間隔となる４箇所の位置であって、各第１の位置決め突起27の内径側に形成されている。各挿通孔30は、周方向に沿って長い長孔状に形成されている。
【００１７】
突出部20の表面には、基板取付部26の領域よりも外径側に、透光カバー14をねじ止めするための複数のねじ孔31が形成されている。さらに、突出部20の表面には、基板取付部26の領域よりも外径側に、常夜灯用が配置される窓孔32が形成されている。
【００１８】
器具本体11の中央の開口部23には、アダプタに取り付けられるアダプタガイド33が取り付けられている。アダプタガイド33は、絶縁性を有する合成樹脂で、上下に開口する筒状に形成されている。
【００１９】
器具本体11のセード取付部24には、セード15を着脱可能に取り付ける複数のセード取付部材34が取り付けられている。
【００２０】
また、図１、図３および図６に示すように、発光部13は、共通の構造に形成された４つの発光モジュール12を備えている。各発光モジュール12は、基板36、およびこの基板36の表面に実装された発光素子37を備えている。
【００２１】
基板36は、周方向に対して等間隔に４分割された形状に形成されている。そのため、４つの発光モジュール12の基板36を器具本体11の基板取付部26に配置することにより、基板36が環状に組み合わされるように構成されている。
【００２２】
発光素子37には、例えば面実装形のＳＭＤパッケージ方式のＬＥＤ素子が用いられる。なお、ＥＬ素子等の他の発光素子を用いてもよい。複数の発光素子37は、基板36の外周側と内周側との２列で、周方向に沿って等間隔に実装されている。この場合、互いに隣接する基板36のそれぞれの最も端部に実装されている発光素子37の間隔も等間隔になるように構成されている。外周側の発光素子37の列と内周側の発光素子37の列とは、それぞれ各列に対応して基板36の表面側に形成された２列の配線パターンに電気的に接続されている。外周側の発光素子37の列と内周側の発光素子37の列との間にはスペースが形成されている。
【００２３】
基板36の両端で２列の発光素子37の間には、基板取付部26の第１の位置決め突起27に嵌り込む、または基板取付部26の配線孔28に一致するように、半円状の窪み部38が形成されている。基板36の内側で２列の発光素子37の間には、基板取付部26の複数の第２の位置決め突起29に嵌り込むように、複数の円形の孔部39が形成されている。さらに、基板36の内側で２列の発光素子37の間には、２列の配線パターンに電気的に接続されるコネクタ40が実装されている。第１の位置決め突起27を介して隣接配置される基板36のコネクタ40同士が図示しない配線部品によって電気的に接続され、配線孔28を介して隣接配置される基板36のコネクタ40には配線孔28を通じて器具本体11の表面側11aに引き出される電源装置16からの図示しない配線部品が電気的に接続される。したがって、複数の発光素子37が直列または直並列に接続され、これら発光素子37に電源装置16から点灯電力（直流電力）を供給可能としている。
【００２４】
また、図１ないし図６に示すように、透光カバー14は、光透過性および光拡散性を有する樹脂製で、中央に開口部43を有する環状に形成されている。透光カバー14は、基板36を器具本体11との間に挟み込んで覆うことが可能な大きさに形成された環状で平板状の覆い部44を有している。
【００２５】
覆い部44の背面の内径側には、器具本体11の各挿通孔30に挿通可能とする複数の爪部45が一体に突出形成されている。これら複数の爪部45は、各挿通孔30の位置に対応して、円周方向に等間隔となる４箇所に形成されている。各爪部45は、透光カバー14の周方向の一方である装着回動方向へ向けてＬ字形状に形成されている。そして、各爪部45を器具本体11の各挿通孔30に挿通して透光カバー14を装着回動方向に回動させることにより、各爪部45の先端が器具本体11の裏面側11bに乗り上げて透光カバー14を器具本体11に向けて引き寄せるとともに、各爪部45が器具本体11の裏面側11bに引っ掛かって器具本体11と透光カバー14との間に基板36を挟持した状態で器具本体11と透光カバー14とが固定される。
【００２６】
透光カバー14の内周の複数個所には、透光カバー14の裏面側（上面側）に向けて突出するＬ字形のガイド部46が一体に形成されている。複数のガイド部46は、器具本体11の突出部20の内側に挿入され、組立時に器具本体11と透光カバー14との中心を位置合わせする。中心を位置合わせするために、ガイド部46は３つ以上であることが好ましい。ガイド部46の表面には、ガイド部46の基端から先端に亘って、補強用の複数のリブ47が一体に形成されている。
【００２７】
透光カバー14の外周側には、器具本体11の各ねじ孔31の位置に対応して複数のねじ挿通孔48が設けられている。各ねじ挿通孔48を挿通するねじが各ねじ孔31に螺着されることにより、透光カバー14の外周側が器具本体11に固定される。さらに、透光カバー14の外周側には、窓孔32を覆う常夜灯カバー部49が一体に形成されている。
【００２８】
覆い部44には、基板36に２列に実装された発光素子37にそれぞれ対向して、環状の２列のレンズ部50が形成されている。さらに、覆い部44には、２列のレンズ部50の間に、基板36に実装されたコネクタ40等に対向して、逃し部51が形成されている。
【００２９】
透光カバー14の下面および上面を含む外面全体に、細かい凹凸であるしぼが形成されている。これにより、透光カバー14の光入射側および光出射側の両方にしぼが形成されるため、発光素子37が発生する光の拡散効果がより高く、発光素子37の個々の発光イメージがセード15に映り込むのを低減することができる。
【００３０】
また、図６に示すように、セード15は、透光性を有する樹脂製で、上面側が開口され、上面側の内周縁部に各セード取付部材34に取り付けられる図示しない取付段部が形成されている。セード15の表面は、なだらかに湾曲突出するようにドーム状に形成されている。
【００３１】
セード15は、乳白のセード板の裏面（セード15の形状に成形することで内面側となる面）に乳白の印刷を施し、このセード板を成形型でセード15の形状に成形してもよい。これにより、発光素子37の個々の発光イメージがセード15に映り込みやすい場合には、セード板に印刷する乳白の濃度を濃くし、一方、発光素子37の個々の発光イメージがセード15に映り込みにくく、透光率を向上させる場合には、セード板に印刷する乳白の濃度を薄くする。このように、セード板に印刷する乳白の濃度を異ならせることにより、透過率の異なるセード15を容易に製造することができる。
【００３２】
また、図６に示すように、電源装置16は、引掛シーリングボディおよびアダプタを通じて交流電力が入力され、その交流電源を所定の直流電力に変換して発光モジュール12に供給する。さらに、電源装置16は、外部から調光信号や明るさ信号を入力し、発光素子37を調光する調光機能を備えていてもよい。
【００３３】
電源装置16は、回路基板54、およびこの回路基板54に実装された複数の電子部品55を備えている。そして、電源装置16は、電源カバー17の内側に絶縁状態で取り付けられている。
【００３４】
電源装置16は、器具本体11の窓孔32に対向配置される図示しない常夜灯を備えている。
【００３５】
また、図５および図６に示すように、電源カバー17は、金属板で構成され、器具本体11の裏面側11bに取り付けられている。電源カバー17の取付位置は、器具本体11の中央から外れた位置であって、器具本体11の複数の挿通孔30のいずれも覆わない位置とされている。これにより、器具本体11の各挿通孔30に取り付けられる透光カバー14の各爪部45は、電源カバー17の外側で器具本体11の裏面側11bに突出されるように構成されている。
【００３６】
次に、本実施形態の作用を説明する。
【００３７】
まず、照明器具10を組み立てるには、器具本体11に、アダプタガイド33を取り付けるとともに、電源装置16を配置した電源カバー17を取り付ける。
【００３８】
例えば器具本体11の基板取付部26が上方に向けた状態で、基板取付部26に４つの発光モジュール12の基板36をそれぞれ載置する。このとき、各基板36の両端の窪み部38を第１の位置決め突起27に嵌め込むとともに、基板36の内側の孔部39を第２の位置決め突起29に嵌め込む。これにより、各基板36が基板取付部26に位置決め配置され、４つの発光モジュール12の基板36が環状に組み合わされる。
【００３９】
第１の位置決め突起27を介して隣接配置される基板36のコネクタ40同士を図示しない配線部品によって電気的に接続する。配線孔28を介して隣接配置される基板36のコネクタ40には、配線孔28を通じて器具本体11の表面側11aに引き出された電源装置16からの図示しない配線部品を電気的に接続する。これにより、複数の発光モジュール12の複数の発光素子37が直列または直並列に接続され、これら発光素子37に電源装置16から直流電力を供給可能となる。
【００４０】
複数の発光モジュール12の基板36を一体に覆うように透光カバー14を被せる。このとき、透光カバー14の背面側に突出する複数のガイド部46の先端を器具本体11の突出部20の内側に挿入することにより、器具本体11の中心と透光カバー14の中心とが位置合わせされるため、器具本体11および発光モジュール12に対して透光カバー14を容易に位置決め配置できる。
【００４１】
器具本体11の中心と透光カバー14の中心とが位置合わせされた状態で、透光カバー14の各爪部45を器具本体11の各挿通孔30に挿入し、透光カバー14を装着回動方向に回動させる。これにより、各爪部45の先端が器具本体11の裏面側11bに乗り上げて透光カバー14を器具本体11に向けて引き寄せる。そのため、透光カバー14の覆い部44の裏面側が基板36に当接し、基板36を器具本体11の基板取付部26に押圧する。そして、各爪部45が器具本体11の裏面側11bに引っ掛かると、器具本体11と透光カバー14との間に基板36を挟持した状態で器具本体11と透光カバー14とが固定される。
【００４２】
透光カバー14の４つの爪部45は、４つの基板36の端部間の近傍で器具本体11に取り付けられるため、各基板36の端部が器具本体11から浮き上がることなく、各基板36の端部を器具本体11に確実に押し付けた状態で保持できる。
【００４３】
ねじを透光カバー14のねじ挿通孔48を通じて器具本体11のねじ孔31にねじ込んで固定し、透光カバー14を器具本体11に確実に固定する。
【００４４】
セード15を器具本体11の下側から被せ、所定の装着回動方向に回動させることにより、セード15をセード取付部材34によって器具本体11に取り付ける。
【００４５】
なお、照明器具10の組立順序は、このような順序に限られるものではない。
【００４６】
そして、照明器具10を設置するには、予めセード15を外した照明器具10のアダプタガイド33を天井面の引掛シーリングボディに装着したアダプタに取り付ける。アダプタから導出されている配線を電源装置16に電気的に接続し、引掛シーリングボディと電源装置16とを電気的に接続する。セード15を器具本体11に装着する。
【００４７】
そして、照明器具10の点灯時には、電源装置16によって交流電源を所定の直流電力に変換して複数の発光モジュール12の複数の発光素子37に供給し、複数の発光素子37が点灯する。
【００４８】
点灯した複数の発光素子37が発する光は、透光カバー14のレンズ部50を通過して配光が制御されるとともに、セード15を通過して照明空間に照射される。
【００４９】
このとき、透光カバー14の光入射側および光出射側の両方にしぼが形成されているため、発光素子37が発生する光の拡散効果が高く、発光素子37の個々の発光イメージがセード15に映り込むのが低減される。
【００５０】
また、点灯時に、複数の発光素子37が発生する熱は、基板36から器具本体11に熱伝導され、器具本体11から効率よく放熱される。一方、電源装置16が発生する熱は、電源カバー17に伝わり、電源カバー17から効率よく放熱される。
【００５１】
そして、本実施形態の照明器具10によれば、透光カバー14の４つの爪部45が、４つの基板36の端部間の近傍で器具本体11に取り付けられるため、各基板36の端部が器具本体11から浮き上がることなく、各基板36の端部を器具本体11に確実に押し付けた状態で保持でき、基板36から器具本体11への放熱性を向上できる。したがって、透光カバー14の組立性がよく、発光モジュール12の基板36から器具本体11への良好な放熱性を確保することができる。
【００５２】
また、器具本体11に取り付けられる透光カバー14の各爪部45は、電源カバー17の外側で器具本体11の裏面側11bに突出するため、電源カバー17の内側に配置される電源装置16の配置に影響が生じず、電源装置16の配置の自由度を向上できる。
【００５３】
また、器具本体11には、基板36の端部間に臨んで配線孔28が形成されているため、基板36の端部間で電源装置16と基板36との電気的な配線ができ、基板36の内径側や外径側で配線する場合に比べて器具本体11の径方向の寸法を小さくすることができる。
【００５４】
しかも、基板36には、基板36に実装された内径側の発光素子37の列と外径側の発光素子37の列との間に、位置決め用の窪み部38および孔部39、電気接続用のコネクタ40等を配置するため、基板36の端部近くまで発光素子37を実装でき、互いに隣接する基板36のそれぞれの端部に実装されている発光素子37の間隔を含めて、複数の発光素子37を周方向に等間隔に配置することができる。これにより、発光部13の周方向における光出力を均等化することができる。
【００５５】
また、透光カバー14の複数のガイド部46を器具本体11の突出部20の内側に挿入することにより、器具本体11の中心と透光カバー14の中心とを位置合わせでき、器具本体11および発光モジュール12に対して透光カバー14を容易に位置決め配置できる。
【００５６】
しかも、ガイド部46には基端から先端に亘ってリブ47が一体に設けられているため、ガイド部46の強度を向上させ、組立時に破損するのを防止できる。
【００５７】
なお、発光モジュール12の基板36は、前記実施形態のように周方向に対して４分割されている場合に限らず、２分割、３分割、あるいは５分割以上に分割されていてもよい。この場合、透光カバー14の爪部45の数および位置も、それら分割数の基板36の端部間に合わせて設ければよい。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
10    照明器具
11    器具本体
12    発光モジュール
13    発光部
14    透光カバー
16    電源装置
17    電源カバー
28    配線孔
36    基板
37    発光素子
44    覆い部
45    爪部
【図１】
2016021310.tif 000003
【図２】
2016021310.tif 000004
【図３】
2016021310.tif 000005
【図４】
2016021310.tif 000006
【図５】
2016021310.tif 000007
【図６】
2016021310.tif 000008